(57)【要約】【課題】  無注油でも駆動音や摩滅が発生しにくいバリカン型刈取り装置を提供する。【解決手段】  可動刃２０の複数の可動ピース２２，２２ａのうちの一部の可動刃ピース２２ａを多孔性炭素材によって構成してある。ナイフクリップ体３０の押圧作用部３２は、多孔性炭素材製の可動刃ピース２２ａに接触作用して可動刃２０を固定刃１０に押圧する。【選択図】        図１
2007222025.tif 000002
【特許請求の範囲】
【請求項１】
固定刃、及び、前記固定刃に対して摺動操作される可動刃を備えたバリカン型刈取り装置であって、
前記可動刃における複数の可動刃ピースの一部が多孔性炭素材を備えて構成され、
前記可動刃を前記固定刃に押圧する押圧部材が、前記多孔性炭素材製の可動刃ピースに接触作用するように支持されているバリカン型刈取り装置。
【請求項２】
前記多孔性炭素材製の可動刃ピースが、前記可動刃の端部に配置されている請求項１記載のバリカン型刈取り装置。
【請求項３】
前記押圧部材の押圧作用部を、多孔性炭素材を備えさせて構成してある請求項１又は２記載のバリカン型刈取り装置。
【発明の詳細な説明】
【技術分野】
【０００１】
本発明は、固定刃、及び、前記固定刃に対して摺動操作される可動刃を備えたバリカン型刈取り装置に関する。
【背景技術】
【０００２】
上記のバリカン型刈取り装置として、従来、たとえば特許文献１に示されるものがあった。
特許文献１に示されるものは、固定刃１の上面側に可動刃３を左右往復摺動自在に設けて刃部Ｘ，Ｙを構成する。刃部Ｘ，Ｙの横外側に注油ノズル７に設け、この注油ノズル７にポンプＰによって潤滑油を加圧供給して刃部Ｘ，Ｙに注油するように給油装置９を構成したものである。
【０００３】
【特許文献１】特開平８−１５４４６２号公報（段落〔００１０〕−〔００１２〕、図１，２）
【発明の開示】
【発明が解決しようとする課題】
【０００４】
バリカン型刈取り装置にあっては、可動刃を固定刃に押圧する押圧部材を設け、可動刃が固定刃から浮き上がることを抑制しながら可動刃を摺動操作するように構成される。このため、可動刃と押圧部材の間に発生する摩擦の抑制を図ると、駆動音や摩滅の発生を抑制できるなど有利に駆動することができるが、上記した如き従来の技術事項を採用した場合、特別な注油装置が必要になっていた。また、潤滑油の劣化や不足が発生しそうになっているか否かを判断し、適切なタイミングで注油を行うという煩わしいメンテナンスが必要になっていた。
【０００５】
本発明の目的は、特別かつ煩わしい装置やメンテナンスの不要化や簡素化を図りながら、かつ経済面での有利化を図りながら、耐久性向上や騒音低減などを達成することができるバリカン型刈取り装置を提供することにある。
【課題を解決するための手段】
【０００６】
本第１発明にあっては、固定刃、及び、前記固定刃に対して摺動操作される可動刃を備えたバリカン型刈取り装置において、
前記可動刃における複数の可動刃ピースの一部が多孔性炭素材を備えて構成され、
前記可動刃を前記固定刃に押圧する押圧部材が、前記多孔性炭素材製の可動刃ピースに接触作用するように支持されている。
【０００７】
脱脂米ぬかと樹脂を混合、成形、焼成することによって得られるなどの多孔性炭素材は、無潤滑の状態で低摩擦を発揮するものである。この多孔性炭素材を備えて構成された可動刃ピースが押圧部材による押圧作用を受け、可動刃が固定刃に押圧されるものである。これにより、可動刃と押圧部材が無潤滑状態での低摩擦を発揮しながら接触し合い、注油の装置や作業を不要にしても、たとえ注油装置を備えるとしても極簡素な装置を備えるだけで、かつ、可動刃と押圧部材の接触による騒音や摩滅を極めて発生しにくくしながら、可動刃を固定刃から浮き上がりにくいように押圧させることができる。
【０００８】
さらに、可動刃の複数の可動刃ピースの一部が多孔性炭素材製であるものだから、その他の可動刃ピースとして鋼製などの可動刃ピースを採用し、その分、可動刃を安価に得ながら、可動刃と押圧部材間の無潤滑状態での低摩擦を得ることができる。
【０００９】
従って、本第１発明によると、可動刃と押圧部材の接触による騒音や摩滅が発生しにくく、静かにかつ軽く駆動することができ、かつ、耐久性に富んだ刈取り装置を得ることができる。しかも、注油のための装置や手間を不要や簡素なものにして、さらには、可動刃ピースの一部だけを多孔性炭素材製に済ませて可動刃を安価に得て、刈取り装置を構造面や経済面で有利に得ることができる。
【００１０】
本第２発明にあっては、本第１発明の構成において、前記多孔性炭素材製の可動刃ピースが、前記可動刃の端部に配置されている。
【００１１】
たとえばコンバインの場合、一般に自走機体の横方向での一端側が既刈り地側に、他端側が未刈り地側にそれぞれ位置する状態にして収穫作業を行われる。このため、未刈り地側では、土埃が植立穀稈によるカバー作用で刈取り装置に進入しにくくなるが、既刈り地側では、植立穀稈が存在せず、刈取り装置に土埃が進入しやすくなる。本第２発明の構成によると、多孔性炭素材製の可動刃ピースが可動刃の端部に配置されていて優れた硬度を発揮するものだから、刈取り装置に土埃が入っても、摩滅が発生しにくい状態で刈取り処理を行わせることができる。
【００１２】
従って、本第２発明によると、コンバインに装着された場合など、可動刃と押圧部材の接触による摩滅のみならず、土埃による摩滅も発生しにくく、極めて優れた耐久性を発揮する刈取り装置を得ることができる。
【００１３】
本第３発明にあっては、本第１又は第２発明の構成において、前記押圧部材の押圧作用部を、多孔性炭素材を備えさせて構成してある。
【００１４】
すなわち、可動刃ピースが多孔性炭素材製であるのみならず、押圧部材の押圧作用部が多孔性炭素材製であることによっても、可動刃と押圧部材が無潤滑状態での低摩擦を発揮しながら接触し合う。これにより、可動刃と押圧部材の接触による摩滅をより発生しにくくしながら、可動刃を固定刃から浮き上がりにくいように押圧させることができる。
【００１５】
従って、本第３発明によると、可動刃と押圧部材の接触による摩滅がより発生しにくくて一層耐久性に富んだ刈取り装置を得ることができる。
【発明を実施するための最良の形態】
【００１６】
以下、本発明の実施例を図面に基づいて説明する。
図１に示すように、機体横方向（刈り幅方向）に適宜間隔を隔てて並ぶ複数本の分草杆１の基端側に支持された固定刃１０、この固定刃１０の上面側に設けた可動刃２０を備えるとともに、この可動刃２０の刈り幅方向での複数箇所に、ナイフクリップ体３０を作用させてコンバイン用のバリカン型刈取り装置を構成してある。
【００１７】
すなわち、可動刃２０の一端側に位置する操作ヘッド２１に係合した駆動回転体２を備えた刈り刃駆動機構が駆動されると、可動刃２０が固定刃１０に対して往復摺動するように駆動回転体２によって摺動操作される。このとき、可動刃２０は、固定刃１０に沿って往復摺動するように各ナイフクリップ体３０によって摺動案内される。また、可動刃２０は、固定刃１０から浮き上がらないように各ナイフクリップ体３０によって押圧される。これにより、各分草杆１の先端部に設けてある分草具３によって分草杆１どうしの間に導入された稲、麦などの植立穀稈の株元を固定刃１０の固定刃ピース１１と、可動刃２０の可動刃ピース２２，２２ａとによって挟んで切断する。
【００１８】
このバリカン型刈取り装置についてさらに詳述すると、次の如く構成してある。
図１，３などに示すように、固定刃１０は、前記分草杆１に支持された固定刃台１２、この固定刃台１２の前端部の上面側に固定刃台１２の長手方向（刈取り装置刈り刃幅方向）に並べて載置された複数枚の前記固定刃ピース１１を備えている。各固定刃ピース１１は、リベット１３によって固定刃台１２に固定されている。
【００１９】
図１，３などに示すように、可動刃２０は、固定刃１０の固定刃ピース１１の上面側に固定刃１０の長手方向に並んで位置する複数枚の前記可動刃ピース２２，２２ａ、前記複数枚の可動刃ピース２２，２２ａの基部の上面側に設けたナイフバー２４を備えている。ナイフバー２４は、各可動刃ピース２２，２２ａにリベット２３によって連結され、複数枚の可動刃ピース２２，２２ａを連結している。
【００２０】
図２，３などに示すように、前記各ナイフクリップ体３０の後端部は、このナイフクリップ体端部、固定刃ピース１１の端部、固定刃台１２の端部を挿通した連結ボルト１４によって固定刃台１２に締め付け固定されている。各ナイフクリップ体３０の内面側にガイド溝３１を設けるとともに、各ナイフクリップ体３０の前記ガイド溝３１に前記ナイフバー２４が摺動自在に入り込むように構成してある。
【００２１】
すなわち、各ナイフクリップ体３０は、連結ボルト１４を介して固定刃１０に支持されている。各ナイフクリップ体３０は、ガイド溝３１の前後の溝内壁面３１ａによってナイフバー２４の側面に接触して案内作用し、可動刃２０を固定刃１０に往復摺動するように移動案内する。
【００２２】
図２，３に示すように、各ナイフクリップ体３０の前端部３０ａに、ナイクリップ体３０とは別部材に作製したブロック体を付設して、平坦面形の押圧面３２ａを有した押圧作用部３２を設けてある。この押圧作用部３２は、前記連結ボルト１４の締め付け力により、前記押圧面３２ａを可動刃ピース２２，２２ａの上面側に摺接自在に接触作用させている。
【００２３】
図２に示すように、各ナイフクリップ体３０の前記押圧作用部３２の押圧面３２ａには、可動刃２０が往復駆動されて各可動刃ピース２２，２２ａが移動する移動ストロークＬ１よりも長く設定した可動刃移動方向長さＬ２を備えてある。これにより、各ナイフクリップ体３０の押圧作用部３２は、可動刃２０が駆動されて各可動刃ピース２２，２２ａが往復移動しても、複数枚の可動刃ピース２２，２２ａのうちのナイフクリップ体３０の付近に位置する特定の一枚の可動ピース２２ａが押圧面３２ａから外れず、この特定の可動刃ピース２２ａに常に押圧作用する。
【００２４】
すなわち、各ナイフクリップ体３０は、可動刃２０に対する押圧部材となり、押圧作用部３２によって可動刃ピース２２ａに接触作用して可動刃２０を固定刃１０に押圧し、可動刃ピース２２，２２ａの固定刃ピース１１からの浮き上がりを防止する。
【００２５】
各ナイフクリップ体３０の前記押圧作用部３２、及び、各ナイフクリップ体３０が前記押圧作用部３２によって主として押圧作用する前記一部の可動刃ピース２２ａは、焼き入れ鋼なみの硬さを備えるように、かつ無注油状態（注油しない状態）で低摩擦を発揮するように多孔性炭素材によって構成してある。
【００２６】
すなわち、米糠（ぬか）や麩（ふすま）などの麩糠類、フェノール樹脂などの熱硬化性樹脂などを混練、加温して造粒処理する。これによって得た粒状物を、フェノール樹脂などの熱硬化性樹脂と混ぜ合わせて成形し、不活性ガス雰囲気中または真空中で焼成、炭化処理することにより、多孔性炭素材によって構成された押圧作用部３２や可動刃ピース２２ａを製作する。
【００２７】
麩糠類としては、米糠油を搾油した後の脱脂糠、小麦粉をひいたときに出る皮屑（麩）、コーンスターチを製造した残滓などを採用するのが好ましい。殊に、脱脂糠を採用し、適切な温度や時間で焼成するなど適切に処理することにより、硬質の多孔性炭素材を製造し、硬質の押圧作用部３２や可動刃ピース２２ａを得ることができる。
【００２８】
図４に示すように、押圧作用部３２は、可動刃ピース２２ａに接触作用する押圧面３２ａとは反対側の背面側に可動刃移動方向に沿った方向の突条３３、可動刃移動方向に交差した方向の突条３４を備えている。各突条３３，３４がナイフクリップ体３０の凹部３０ｂ，３０ｃに入り込み、押圧作用部３２とナイフクリップ体３０が係合し合っている。これにより、押圧作用部３２と可動刃ピース２２ａの接触にかかわらず、押圧作用部３２がナイフクリップ体３０から外れにくくなっている。
【００２９】
図５は、別の実施構造を備えたバリカン型刈取り装置を示す。このバリカン型刈取り装置の可動刃２０は、可動刃摺動方向に分散配置した複数枚の多孔性炭素材製の可動刃ピース２２ａ、及び、隣り合う一対の多孔性炭素材製可動刃ピース２２ａどうしの間に複数枚ずつ位置する配置で可動刃摺動方向に並ぶ複数枚の鉄製の可動刃ピース２２を備えている。固定刃１０の可動刃摺動方向での複数箇所にナイフクリップ体３０を設けてある。
【００３０】
各ナイフクリップ体３０は、ナイフクリップ体３０の前端側に設けた多孔性炭素材で成る押圧作用部３２を備えている。各ナイフクリップ体３０は、押圧作用部３２をナイフクリップ体３０の付近に位置する複数枚の前記多孔性炭素材製の可動刃ピース２２ａの上面側に摺接作用させて可動刃２０を固定刃１０に押圧する。
【００３１】
各ナイフクリップ体３０の前記押圧作用部３２は、各ナイフクリップ体３０の押圧作用部３２を連結した一連の杆状押圧部材に成型した多孔性炭素材製の一つ押圧部材によって構成してある。すなわち、各ナイフクリップ体３０の押圧作用部３２は連結した状態になっている。
【００３２】
図６は、さらに別の実施構造を備えたバリカン型刈取り装置を示す。このバリカン型刈取り装置の可動刃２０は、可動刃２０の両端部に可動刃摺動方向に連続させて配置した複数枚の多孔性炭素材製の可動刃ピース２２ａ、可動刃一端側の多孔性炭素材製の可動刃ピース２２ａと可動刃他端側の多孔性炭素材製の可動刃ピース２２ａのと間に配置した複数枚の鉄製の可動刃ピース２２を備えている。固定刃１０の両端部にナイフクリップ体３０を設けてある。
【００３３】
各ナイフクリップ体３０は、多孔性炭素材製の一つ押圧作用部３２を備えている。各ナイフクリップ体３０は、押圧作用部３２を複数枚の多孔性炭素材可動刃ピース２２ａの上面側に摺接作用させて可動刃２０を固定刃１０に押圧する。
【００３４】
刈取り装置両端側のうち、コンバインの運転部が存在する側（作業時に既刈り地側に位置される側）に位置する側の端部に存在する前記多孔性炭素材製の可動刃ピース２２ａの数量を、運転部存在側とは反対側（作業機の未刈り地側に位置される側）に位置する側の端部に存在する前記多孔性炭素材製の可動刃ピース２２ａの数量よりも多くしてある。
未刈り地側では、植立穀稈が存在して刈取り装置に入り込もうとする土埃に対する遮蔽部材になる。既刈り地側では、植立穀稈が存在しないことから、未刈り地側よりも刈取り装置に土埃が入り込みやすくなる。このため、刈取り装置の両端部に、土埃が入り込んでも摩滅が発生しにくいように多孔性炭素材製可動刃ピース２２ａを配置してある。刈取り装置の既刈り地側端部には、土埃による摩滅が未刈り地側よりも発生しにくいように、未刈り地側端部よりも数多くの多孔性炭素材製可動刃ピース２２ａを配置してある。
【００３５】
〔別実施例〕
上記実施例の如く、ナイフクリップ体３０の押圧作用部３２の全体、ナイフクリップ体３０の押圧作用部３２が摺接作用する可動刃ピース２２ａの全体を多孔性炭素材によって構成するに替え、押圧作用部３２の端部に多孔性炭素材製の板体を付設して多孔性炭素材製の押圧面を備えさせ、可動刃ピース２２ａの側面に多孔性炭素材製の板体を付設して多孔性炭素材製の上面を備えさせ、ナイフクリップ体３０の押圧作用部３２と、可動刃ピース２２ａとが無注油状態で低摩擦を発揮しながら摺接し合うように構成してもよい。これによっても、本発明の目的を達成することができる。
つまり、押圧部材としてのナイフクリップ体３０の押圧作用部３２、ナイフクリップ体３０が押圧作用する一部の可動刃ピース２２ａを、多孔性炭素材を備えて構成することにより、本発明の目的を達成することができる。
【図面の簡単な説明】
【００３６】
【図１】コンバイン用のバリカン型刈取り装置の平面図
【図２】ナイフクリップ体配設部の平面図
【図３】ナイフクリップ体配設部の横断面図
【図４】押圧作用部ブロックの斜視図
【図５】別の実施構造を備えたバリカン型刈取り装置の平面図
【図６】さらに別の実施構造を備えたバリカン型刈取り装置の平面図
【符号の説明】
【００３７】
１０        固定刃
２０        可動刃
２２        可動刃ピース
２２ａ      多孔性炭素材製の可動刃ピース
３０        押圧部材
３２        押圧作用部
【図１】
2007222025.tif 000003
【図２】
2007222025.tif 000004
【図３】
2007222025.tif 000005
【図４】
2007222025.tif 000006
【図５】
2007222025.tif 000007
【図６】
2007222025.tif 000008